(57)【要約】【課題】振動に起因する接触不良を防止する。【解決手段】コネクタは、内部に複数の端子収容室１１Ａ，１１Ｂが形成されたハウジング１０と、ハウジング１０の後方から複数の端子収容室１１Ａ，１１Ｂに個別に挿入される複数の端子金具２０Ａ，２０Ｂと、複数の端子金具２０Ａ，２０Ｂに個別に固着された複数本の電線３０Ａ，３０Ｂと、ハウジング１０の後端部に取り付けられるホルダ４０と、ホルダ４０に形成され、複数本の電線３０Ａ，３０Ｂを複数の端子収容室１１Ａ，１１Ｂと対応する配置で個別に保持する複数の保持部４４Ａ，４４Ｂとを備えている。【選択図】図５
2015225845.tif 000002
【特許請求の範囲】
【請求項１】
内部に複数の端子収容室が形成されたハウジングと、
前記ハウジングの後方から前記複数の端子収容室に個別に挿入される複数の端子金具と、
前記複数の端子金具に個別に固着された複数本の電線と、
前記ハウジングの後端部に取り付けられるホルダと、
前記ホルダに形成され、前記複数本の電線を前記複数の端子収容室と対応する配置で個別に保持する複数の保持部とを備えていることを特徴とするコネクタ。
【請求項２】
前記保持部が、前記ホルダの外側面に開放された形態であることを特徴とする請求項１記載のコネクタ。
【請求項３】
前記保持部が、基部と、前記基部から片持ち状に延出する一対のアーム部とによって構成され、
前記アーム部の延出端部に、前記ハウジングに係止することで前記ホルダを前記ハウジングに対して取り付け状態にロックする係止部が形成されていることを特徴とする請求項２記載のコネクタ。
【請求項４】
前記保持部には、前記電線の外周に食い込む突起を備えていることを特徴とする請求項１ないし請求項３のいずれか１項に記載のコネクタ。
【発明の詳細な説明】
【技術分野】
【０００１】
本発明は、コネクタに関するものである。
【背景技術】
【０００２】
特許文献１には、多芯電線に接続した複数の端子金具を一括してコネクタハウジングに挿入するコネクタが開示されている。多芯電線の端末部においては、複数本の芯線を露出させ、各芯線に端子金具を接続している。多芯電線に取り付けたカバー部材には、複数の芯線挿通穴が形成されており、各芯線挿通穴に芯線を挿通させることにより、各端子金具がコネクタハウジングのキャビティと対応するように整列されている。
【先行技術文献】
【特許文献】
【０００３】
【特許文献１】特開２００１−１３５４０３号公報
【発明の概要】
【発明が解決しようとする課題】
【０００４】
上記のコネクタでは、芯線がカバー部材に固定されていないため、芯線が振動を受けた時に、その芯線の振動が端子金具に伝達され、端子金具と相手側端子との接触状態が不安定になることが懸念される。
【０００５】
本発明は上記のような事情に基づいて完成されたものであって、振動に起因する接触不良を防止することを目的とする。
【課題を解決するための手段】
【０００６】
本発明のコネクタは、
内部に複数の端子収容室が形成されたハウジングと、
前記ハウジングの後方から前記複数の端子収容室に個別に挿入される複数の端子金具と、
前記複数の端子金具に個別に固着された複数本の電線と、
前記ハウジングの後端部に取り付けられるホルダと、
前記ホルダに形成され、前記複数本の電線を前記複数の端子収容室と対応する配置で個別に保持する複数の保持部とを備えているところに特徴を有する。
【発明の効果】
【０００７】
複数本の電線を複数の保持部に個別に保持すると、複数の端子金具が複数の端子収容室と対応する配置に位置決めされるので、ホルダをハウジングに取り付けることによって、複数の端子金具を一括して端子収容室に挿入することができる。端子金具を端子収容室に挿入した状態では、電線が保持部で保持されているので、電線が振動を受けても、その振動が端子金具に伝わることはない。したがって、電線が振動することに起因して端子金具の接触状態が不安定になることを防止できる。
【図面の簡単な説明】
【０００８】
【図１】実施例１においてホルダをハウジングに取り付けるとともに端子金具をハウジングに挿入した状態を斜め後方から見た斜視図
【図２】ホルダをハウジングに取り付けるとともに端子金具をハウジングに挿入した状態をあらわす背面図
【図３】図２のＸ−Ｘ線断面図
【図４】図２のＹ−Ｙ線断面図
【図５】ホルダに電線を保持した状態を斜め前方から見た斜視図
【図６】ホルダの正面図
【図７】ホルダの平面図
【図８】ホルダの側面図
【発明を実施するための形態】
【０００９】
（１）本発明のコネクタは、前記保持部が、前記ホルダの外側面に開放された形態であってもよい。この構成によれば、保持部に電線を取り付ける作業を容易に行うことができる。
【００１０】
（２）本発明のコネクタは、（１）において、前記保持部が、基部と、前記基部から片持ち状に延出する一対のアーム部とによって構成され、前記アーム部の延出端部に、前記ハウジングに係止することで前記ホルダを前記ハウジングに対して取り付け状態にロックする係止部が形成されていてもよい。この構成によれば、片持ち状をなしているために変形を生じ易いアーム部を、係止部の係止によって移動規制することができる。これにより、保持部による電線の保持作用の信頼性が向上するので、電線から端子金具への振動伝達を、確実に防止することができる。
【００１１】
（３）本発明のコネクタは、前記保持部には、前記電線の外周に食い込む突起を備えていてもよい。この構成によれば、突起を電線の外周に食い込ませることにより、電線を確実に保持することができる。
【００１２】
＜実施例１＞
以下、本発明を具体化した実施例１を図１〜図８を参照して説明する。本実施例１のコネクタは、合成樹脂製のハウジング１０と、２つの第１端子金具２０Ａ（請求項に記載の端子金具）と、２つの第２端子金具２０Ｂ（請求項に記載の端子金具）と、各第１端子金具２０Ａの後端部に固着された第１電線３０Ａ（請求項に記載の電線）と、各第２端子金具２０Ｂの後端部に固着された第２電線３０Ｂ（請求項に記載の電線）と、合成樹脂製のホルダ４０とを備えて構成されている。以下の説明において、前後方向に関しては、図３，４における左方を前方と定義する。また、左右方向については、図２にあらわれる向きをそのまま左方、右方と定義する。上下方向については、図２，３，６にあらわれる向きをそのまま上方、下方と定義する。
【００１３】
図１に示すように、ハウジング１０は、全体としてブロック状をなす。ハウジング１０の内部には、図２に示すように、上下一対の第１端子収容室１１Ａ（請求項に記載の端子収容室）と、第１端子収容室１１Ａの右側に並ぶように配された上下一対の第２端子収容室１１Ｂ（請求項に記載の端子収容室）とが形成されている。第１端子収容室１１Ａの高さ寸法（上下寸法）と幅寸法（左右寸法）は、第２端子収容室１１Ｂよりも大きい寸法に設定されている。各端子収容室１１Ａ，１１Ｂの前端部は、ハウジング１０の前面壁を貫通するスリット状のタブ挿入口を介してハウジング１０の前方へ開放されている。各端子収容室１１Ａ，１１Ｂの後端部は、その全領域に亘りハウジング１０の後端面において端子挿入口として開口されている。
【００１４】
図１，３，４に示すように、ハウジング１０の後端部には、その左外側縁部から後方へ板状に突出した形態の第１受け部１２Ａが形成されている。第１受け部１２Ａには、夫々、３つの第１係止孔１３Ａが形成されている。３つの第１係止孔１３Ａは、第１受け部１２Ａの上端部と、下端部と、上下方向における略中央部の３箇所に分かれ、上下に間隔を空けて並ぶように配されている。上端部の第１係止孔１３Ａは、上側の第１端子収容室１１Ａの上面部及びハウジング１０の上面部を構成する上壁部１４と対応する高さに位置している。下端部の第１係止孔１３Ａは、下側の第１端子収容室１１Ａの下面部及びハウジング１０の下面部を構成する下壁部１５と対応する高さに位置している。上下方向略中央部の第１係止孔１３Ａは、上側の第１端子収容室１１Ａと下側の第１端子収容室１１Ａとを区画する隔壁部１６と対応する高さに位置している。
【００１５】
ハウジング１０の後端部には、その右外側縁部から後方へ板状に突出した形態の第２受け部１２Ｂが形成されている。第２受け部１２Ｂには、夫々、３つの第２係止孔１３Ｂが形成されている。３つの第２係止孔１３Ｂは、第２受け部１２Ｂの上端部と、下端部と、上下方向における略中央部の３箇所に分かれ、上下に間隔を空けて並ぶように配されている。上端部の第２係止孔１３Ｂは、上側の第２端子収容室１１Ｂの上面部及びハウジング１０の上面部を構成する上壁部１４と対応する高さに位置している。下端部の第２係止孔１３Ｂは、下側の第２端子収容室１１Ｂの下面部及びハウジング１０の下面部を構成する下壁部１５と対応する高さに位置している。上下方向略中央部の第２係止孔１３Ｂは、上側の第２端子収容室１１Ｂと下側の第２端子収容室１１Ｂとを区画する隔壁部１６と対応する高さに位置している。
【００１６】
図５に示すように、第１端子金具２０Ａは、全体として前後方向に細長い形状である。第１端子金具２０Ａの前端側領域は、雄形の相手側端子（図示省略）のタブを収容して接続させる角筒状の第１接続部２１Ａとなっている。第１端子金具２０Ａの後端側領域は、第１電線３０Ａの前端部を導通可能に固着するためのオープンバレル状の第１圧着部２２Ａとなっている。第１圧着部２２Ａに第１電線３０Ａを固着した状態では、第１端子金具２０Ａと、第１電線３０Ａのうち第１端子金具２０Ａに近い領域とが、ほぼ一直線状をなして連なっている。
【００１７】
第２端子金具２０Ｂは、全体として前後方向に細長い形状である。第２端子金具２０Ｂの前端側領域は、雄形の相手側端子（図示省略）のタブを収容して接続させる角筒状の第２接続部２１Ｂとなっている。第２接続部２１Ｂの高さ寸法と幅寸法は、第１接続部２１Ａよりも小さい。第２端子金具２０Ｂの後端側領域は、第２電線３０Ｂの前端部を導通可能に固着するためのオープンバレル状の第２圧着部２２Ｂとなっている。第２圧着部２２Ｂに第２電線３０Ｂを固着した状態では、第２端子金具２０Ｂと、第２電線３０Ｂのうち第２端子金具２０Ｂに近い領域とが、ほぼ一直線状をなして連なっている。
【００１８】
図２に示すように、第１電線３０Ａは、円形断面の第１導体３１Ａと、第１導体３１Ａを包囲する円環状断面をなす合成樹脂製の第１絶縁被覆３２Ａとから構成されている。第２電線３０Ｂは、円形断面の第２導体３１Ｂと、第２導体３１Ｂを包囲する円環状断面をなす合成樹脂製の第２絶縁被覆３２Ｂとから構成されている。第１導体３１Ａの外径は第２導体３１Ｂの外径よりも大きく、第１電線３０Ａの外径は第２電線３０Ｂの外径よりも大きい寸法に設定されている。
【００１９】
ホルダ４０は、４つの端子金具２０Ａ，２０Ｂを一括して端子収容室１１Ａ，１１Ｂに挿入するための手段として用いられる。図６〜８に示すように、ホルダ４０は、上下方向に細長く直線状に延びた形態の基部４１と、基部４１の左側縁から左方へ片持ち状に延出した形態の３本の第１アーム部４２Ａと、基部４１の右側縁から右方へ片持ち状に延出した形態の３本の第２アーム部４２Ｂとを備えて構成されている。したがって、ホルダ４０の正面視形状は、漢字の「王」字形をなしている。尚、本実施例１において左右の方向は図２（背面図）を基準としているため、図６（正面図）では左右の向きが逆にあらわれる。
【００２０】
３本の第１アーム部４２Ａは、互いに平行をなし、互いに間隔を空けて３段に分かれて配置されている。上段の第１アーム部４２Ａはハウジング１０の上壁部１４と対応する高さに位置し、中断の第１アーム部４２Ａは隔壁部１６と対応する高さに位置し、下段の第１アーム部４２Ａは下壁部１５と対応する高さに位置する。また、上段の第１アーム部４２Ａの下面と、中段の第１アーム部４２Ａの上下両面と、下段の第１アーム部４２Ａの上面には、夫々、上方又は下方へ突出する第１突起４３Ａ（請求項に記載の突起）が形成されている。
【００２１】
３本の第２アーム部４２Ｂは、互いに平行をなし、互いに間隔を空けて３段に分かれて配置されている。上段の第２アーム部４２Ｂはハウジング１０の上壁部１４と対応する高さに位置し、中断の第２アーム部４２Ｂは隔壁部１６と対応する高さに位置し、下段の第２アーム部４２Ｂは下壁部１５と対応する高さに位置する。また、上段の第２アーム部４２Ｂの下面と、中段の第２アーム部４２Ｂの上下両面と、下段の第２アーム部４２Ｂの上面には、夫々、上方又は下方へ突出する第２突起４３Ｂ（請求項に記載の突起）が形成されている。
【００２２】
上記形状のホルダ４０は、ホルダ４０を前後方向（第１電線３０Ａの軸線方向と平行な方向）に貫通するとともに、ホルダ４０の外面（左外側面）に開放された形態の上下２段の第１保持部４４Ａ（請求項に記載の保持部）を有している。即ち、上段側の第１保持部４４Ａは、基部４１における上半分領域と上段の第１アーム部４２Ａと中段の第１アーム部４２Ａとによって構成されている。下段側の第１保持部４４Ａは、基部４１における下半分領域と中段の第１アーム部４２Ａと下段の第１アーム部４２Ａとによって構成されている。各第１保持部４４Ａを構成する上下一対の第１突起４３Ａの上下間隔は、第１電線３０Ａの外径よりも小さい寸法に設定されている。
【００２３】
また、ホルダ４０は、第１保持部４４Ａと同様、ホルダ４０を前後方向（第１電線３０Ａの軸線方向と平行な方向）に貫通するとともに、ホルダ４０の外面（左外側面）に開放された形態の上下２段の第２保持部４４Ｂ（請求項に記載の保持部）を有している。上段側の第２保持部４４Ｂは、基部４１における上半分領域と上段の第２アーム部４２Ｂと中段の第２アーム部４２Ｂとによって構成されている。下段側の第２保持部４４Ｂは、基部４１における下半分領域と中段の第２アーム部４２Ｂと下段の第２アーム部４２Ｂとによって構成されている。各第２保持部４４Ｂを構成する上下一対の第２突起４３Ｂの上下間隔は、第２電線３０Ｂの外径よりも小さい寸法に設定されている。
【００２４】
ホルダ４０には、ホルダ４０をハウジング１０に対してり取付け状態に保持するための手段として、３つの第１係止部４５Ａ（請求項に記載の係止部）と３つの第２係止部４５Ｂ（請求項に記載の係止部）が形成されている。３つの第１係止部４５Ａは、３つの第１アーム部４２Ａの延出端面から左方（第１アーム部４２Ａの延出方向と同じ方向）へ個別に突出した形態となっている。３つの第２係止部４５Ｂは、３つの第２アーム部４２Ｂの延出端面から右方（第２アーム部４２Ｂの延出方向と同じ方向）へ個別に突出した形態となっている。
【００２５】
次に、本実施例１の作用を説明する。４つの端子金具２０Ａ，２０Ｂを、夫々、対応する所定の端子収容室１１Ａ，１１Ｂに挿入する際には、まず、４本の電線３０Ａ，３０Ｂのうち端子金具２０Ａ，２０Ｂの後端部（圧着部）に近い領域をホルダ４０に取り付ける。第１電線３０Ａは、ホルダ４０の左側方から第１保持部４４Ａを構成する上下一対の第１アーム部４２Ａの間に割り込ませるようにする。このとき、第１電線３０Ａは、その軸線と直交する方向に平行移動させればよい。このようにして取り付けられた第１電線３０Ａは、一対の第１アーム部４２Ａの間に挟まれることにより第１保持部４４Ａ（ホルダ４０）に対して上下方向への相対移動を規制されるとともに、第１絶縁被覆３２Ａに第１突起４３Ａが食い込むことにより、第１保持部４４Ａ（ホルダ４０）に対し前後方向及び左右方向への相対移動を規制された状態に保持される。
【００２６】
第２電線３０Ｂは、ホルダ４０の右側方から第２保持部４４Ｂを構成する上下一対の第２アーム部４２Ａの間に割り込ませるようにする。このとき、第２電線３０Ｂは、その軸線と直交する方向に平行移動させればよい。このようにして取り付けられた第２電線３０Ｂは、一対の第２アーム部４２Ｂの間に挟まれることにより第２保持部４４Ｂ（ホルダ４０）に対して上下方向への相対移動を規制されるとともに、第２絶縁被覆３２Ｂに第２突起４３Ｂが食い込むことにより、第２保持部４４Ｂ（ホルダ４０）に対し前後方向及び左右方向への相対移動を規制された状態に保持される。
【００２７】
以上のようにして４本電線３０Ａ，３０Ｂが、その端子金具２０Ａ，２０Ｂの後端部（圧着部２２Ａ，２２Ｂ）に近い領域において保持部４４Ａ，４４Ｂに保持されると、４つの端子金具２０Ａ，２０Ｂは、ホルダ４０の前方の近傍位置において所定の位置関係を保った状態に保持される。即ち、４つの端子金具２０Ａ，２０Ｂは、４つの端子収容室１１Ａ，１１Ｂの配置と対応するように位置決めされるのである。このようにホルダ４０によって位置決めされた４つの端子金具２０Ａ，２０Ｂは、ホルダ４０を後方からハウジング１０に接近させることにより、所定の端子収容室１１Ａ，１１Ｂ内に一括して挿入される。
【００２８】
そして、ホルダ４０が、その前面をハウジング１０の後面に対し当接又は接近して対向する位置まで正しく取り付けられると、３つの第１係止部４５Ａが３つの第１係止孔１３Ａに嵌合して係止されるとともに、３つの第２係止部４５Ｂが３つの第２係止孔１３Ｂに嵌合して係止される。この係止部４５Ａ，４５Ｂと係止孔１３Ａ，１３Ｂとの係止により、ホルダ４０はハウジング１０の後端部に対し前後方向及び上下方向への相対移動を規制された状態に保持される。また、ホルダ４０は、第１受け部１２Ａと第２受け部１２Ｂとの間で左右に挟まれるので、ハウジング１０に対して左右方向への相対移動を規制された状態に保持される。
【００２９】
ホルダ４０がハウジング１０に取り付けられて端子金具２０Ａ，２０Ｂが端子収容室１１Ａ，１１Ｂに挿入された状態では、第１保持部４４Ａが第１端子収容室１１Ａの後端部を構成し、第２保持部４４Ｂが第２端子収容室１１Ｂの後端部を構成する。そして、端子収容室１１Ａ，１１Ｂ内の端子金具２０Ａ，２０Ｂの後方近傍では、４本の電線３０Ａ，３０Ｂが保持部４４Ａ，４４Ｂにより上下方向及び左右方向への移動を規制されている。したがって、電線３０Ａ，３０Ｂのうちホルダ４０よりも後方の領域に振動が付与されたとしても、その振動の前方への伝播は保持部４４Ａ，４４Ｂで遮断される。したがって、電線３０Ａ，３０Ｂの振動が端子金具２０Ａ，２０Ｂに伝達させる虞がなく、これにより、端子金具２０Ａ，２０Ｂと相手側端子（図示省略）との接触状態が不安定になる虞はない。
【００３０】
上述のように、本実施例１のコネクタは、内部に複数の端子収容室１１Ａ，１１Ｂが形成されたハウジング１０と、ハウジング１０の後方から複数の端子収容室１１Ａ，１１Ｂに個別に挿入される複数の端子金具２０Ａ，２０Ｂと、複数の端子金具２０Ａ，２０Ｂに個別に固着された複数本の電線３０Ａ，３０Ｂとを有している。そして、電線３０Ａ，３０Ｂの振動に起因する端子金具２０Ａ，２０Ｂの接触不良を防止する手段として、ハウジング１０の後端部に取り付けられるホルダ４０と、ホルダ４０に形成され、複数本の電線３０Ａ，３０Ｂを複数の端子収容室１１Ａ，１１Ｂと対応する配置で個別に保持する複数の保持部４４Ａ，４４Ｂを備えている。
【００３１】
かかる構成のコネクタは、複数本の電線３０Ａ，３０Ｂを複数の保持部４４Ａ，４４Ｂに個別に保持すると、複数の端子金具２０Ａ，２０Ｂが複数の端子収容室１１Ａ，１１Ｂと対応する配置に位置決めされるので、ホルダ４０をハウジング１０に取り付けることによって、複数の端子金具２０Ａ，２０Ｂを一括して端子収容室１１Ａ，１１Ｂに挿入することができる。そして、端子金具２０Ａ，２０Ｂを端子収容室１１Ａ，１１Ｂに挿入した状態では、電線３０Ａ，３０Ｂが保持部４４Ａ，４４Ｂで保持されているので、電線３０Ａ，３０Ｂが振動を受けても、その振動が端子金具２０Ａ，２０Ｂに伝わることはない。したがって、電線０Ａ，３０Ｂが振動しても、端子金具２０Ａ，２０Ｂの接触信頼性が良好な状態に保たれる。
【００３２】
また、各保持部４４Ａ，４４Ｂは、基部４１と、基部４１から延出する一対のアーム部４２Ａ，４２Ｂとによって構成されているが、アーム部４２Ａ，４２Ｂは片持ち状に延出した形態であるため、変形を生じ易い。そこで、アーム部４２Ａ，４２Ｂの延出端部には、ハウジング１０に係止することでホルダ４０をハウジング１０に対して取り付け状態にロックするための係止部４５Ａ，４５Ｂを形成している。この構成によれば、片持ち状をなしているために変形を生じ易いアーム部４２Ａ，４２Ｂを、係止部４５Ａ，４５Ｂの係止によって移動規制することができる。これにより、保持部４４Ａ，４４Ｂによる電線３０Ａ，３０Ｂの保持作用の信頼性が向上するので、電線３０Ａ，３０Ｂから端子金具２０Ａ，２０Ｂへの振動伝達を、確実に防止することができる。
【００３３】
また、保持部４４Ａ，４４Ｂは、ホルダ４０の外側面に開放された形態であるから、保持部４４Ａ，４４Ｂに電線３０Ａ，３０Ｂを取り付ける作業を容易に行うことができる。また、保持部４４Ａ，４４Ｂには、電線３０Ａ，３０Ｂの外周に食い込む突起４３Ａ，４３Ｂを備えていてる。したがって、突起４３Ａ，４３Ｂを電線３０Ａ，３０Ｂの外周に食い込ませることにより、電線３０Ａ，３０Ｂを確実に保持することができる。
【００３４】
＜他の実施例＞
本発明は上記記述及び図面によって説明した実施例１に限定されるものではなく、例えば次のような実施例も本発明の技術的範囲に含まれる。
（１）上記実施例１では、保持部を、ホルダの外側面に開放された形態としたが、保持部は、ホルダの外側面に開放されずにホルダを貫通する孔状であってもよい。
（２）上記実施例１では、全てのアーム部の延出端部に係止部を形成したが、係止部は、一部のアーム部のみに形成してもよい。
（３）上記実施例１では、ホルダをハウジングに取り付けた状態に保持するための係止部を、アーム部の延出端部に形成したが、係止部は、アーム部における延出端部よりも基端側の位置や、基部に形成してもよい。
（４）上記実施例１では、電線の外周に食い込む突起を保持部に形成したが、保持部に突起を形成しない形態としてもよい。
（５）上記実施例１では、端子収容室及び保持部の数を４つとしたが、端子収容室及び保持部の数は、３つ以下でも、５つ以上でもよい。
【符号の説明】
【００３５】
１０…ハウジング
１１Ａ…第１端子収容室（端子収容室）
１１Ｂ…第２端子収容室（端子収容室）
２０Ａ…第１端子金具（端子金具）
２０Ｂ…第２端子金具（端子金具）
３０Ａ…第１電線（電線）
３０Ｂ…第２電線（電線）
４０…ホルダ
４１…基部
４２Ａ…第１アーム部（アーム部）
４２Ｂ…第２アーム部（アーム部）
４３Ａ…第１突起（突起）
４３Ｂ…第２突起（突起）
４４Ａ…第１保持部（保持部）
４４Ｂ…第２保持部（保持部）
４５Ａ…第１係止部（係止部）
４５Ｂ…第２係止部（係止部）
【図１】
2015225845.tif 000003
【図２】
2015225845.tif 000004
【図３】
2015225845.tif 000005
【図４】
2015225845.tif 000006
【図５】
2015225845.tif 000007
【図６】
2015225845.tif 000008
【図７】
2015225845.tif 000009
【図８】
2015225845.tif 000010